(57)【要約】【課題】  復号化されたディジタル音声信号を複数の異なる経路（アナログ出力、光ディジタル出力、ＨＤＭＩ出力等）から出力することにより生じる音声のズレを解消することのできるディジタル音声処理装置を提供する。【解決手段】  複数の出力端子の前段にそれぞれ遅延手段を設け、音声出力選択手段により前記複数の出力端子のうち何れの出力端子から音声信号を出力させるかを選択させ、音声出力選択手段により複数の出力端子が選択された場合に、遅延量設定手段により１の出力端子に接続された音声出力装置からの音声出力タイミングを基準（遅延量０）にして、他の出力端子の前段に設けられた遅延手段の遅延量を設定させるようにした。【選択図】  図２
2007318604.tif 000002
【特許請求の範囲】
【請求項１】
所定形式のディジタル音声入力信号に所定の音声処理を施してディジタル又はアナログの音声信号を複数の出力端子から出力可能なディジタル音声信号処理装置であって、
前記複数の出力端子の前段にそれぞれ設けられた遅延手段と、
前記それぞれの遅延手段の遅延量を設定する遅延量設定手段と、
前記複数の出力端子のうち何れの出力端子から音声信号を出力させるかを選択可能な音声出力選択手段と、
前記音声出力選択手段により何れの出力端子が選択されたかを示す出力端子情報と、そのときの前記遅延量設定手段による遅延量情報と、を関連付けて記録可能な記憶手段と、
入力手段と、を備え、
前記音声出力選択手段は、前記入力手段からの入力信号に基づいて、前記複数の出力端子の中から音声信号を出力させる出力端子を選択し、
前記遅延量設定手段は、前記記憶手段に記録されている出力端子情報および遅延量情報に基づいて前記それぞれの遅延手段の遅延量を設定し、さらに前記入力手段からの入力があった場合には該入力信号に基づいて前記それぞれの遅延手段の遅延量を設定することを特徴とするディジタル音声信号処理装置。
【請求項２】
所定形式のディジタル音声入力信号に所定の音声処理を施してディジタル又はアナログの音声信号を複数の出力端子から出力可能なディジタル音声信号処理装置であって、
前記複数の出力端子の前段にそれぞれ設けられた遅延手段と、
前記それぞれの遅延手段の遅延量を設定する遅延量設定手段と、
前記複数の出力端子のうち何れの出力端子から音声信号を出力させるかを選択可能な音声出力選択手段と、を備え、
前記遅延量設定手段は、前記音声出力選択手段により複数の出力端子が選択された場合に、１の出力端子に接続された音声出力装置からの音声出力タイミングを基準にして、他の出力端子の前段に設けられた遅延手段の遅延量を設定することを特徴とするディジタル音声信号処理装置。
【請求項３】
前記音声出力選択手段により何れの出力端子が選択されたかを示す出力端子情報と、そのときの前記遅延量設定手段による遅延量情報と、を関連付けて記録可能な記憶手段を備え、
前記遅延量設定手段は、前記記憶手段に記録されている出力端子情報および遅延量情報に基づいて、前記それぞれの遅延手段の遅延量を設定することを特徴とする請求項２に記載のディジタル音声信号処理装置。
【請求項４】
入力手段を備え、
前記音声出力選択手段は、前記入力手段からの入力信号に基づいて、前記複数の出力端子の中から音声信号を出力させる出力端子を選択し、
前記遅延量設定手段は、前記入力手段からの入力信号に基づいて、前記他の出力端子の前段に設けられた遅延手段の遅延量を設定することを特徴とする請求項２又は３に記載のディジタル音声信号処理装置。
【発明の詳細な説明】
【技術分野】
【０００１】
本発明は、ディジタル信号処理装置に関し、特に、符号化されたディジタル音声信号を複数の異なる経路で信号処理して音声出力することにより生じる音声のズレを解消することができる技術に関する。
【背景技術】
【０００２】
近年、ＤＶＤ（Digital Versatile Disk／Digital Video Disk）を記録媒体としたビデオソフトなどでは、通常の２ｃｈのステレオ再生に比べて立体的で迫力ある音声規格（例えば、ドルビーディジタル）が採用されている。このドルビーディジタル方式の場合、ＤＶＤには、フロント側３ｃｈ、リア側２ｃｈからなる５ｃｈの音声データに加えて、低域のみに帯域制限されたサブウーファー（０．１ｃｈ）の音声信号が記録されている。
【０００３】
例えば、ＤＶＤプレイヤー等に５．１ｃｈサラウンドに対応したＡＶアンプを接続して構築したホームシアターにおいて、ＤＶＤプレイヤーのディジタル音声信号出力端子（例えば、光ディジタル信号出力端子）からディジタル音声信号（例えば、ＡＡＣ（Advanced Audio Coding）音声信号やＰＣＭ（Pulse Code Modulation）音声信号）をＡＶアンプに出力させるようにしておけば、ＤＶＤに記録された５．１ｃｈの臨場感あふれる音声がＡＶアンプに接続されたスピーカから出力されることとなる。
【０００４】
また、上述したサラウンド対応のＡＶアンプを用いることなく、ＤＶＤプレイヤーでディジタル音声信号をアナログ音声信号に変換して出力することで、テレビジョン受像機の内蔵スピーカで２ｃｈの音声を出力することも可能である。
【０００５】
ところで、ＤＶＤに記録されたディジタル映像信号及びディジタル音声信号を再生する場合、ディジタル映像信号を処理する回路とディジタル音声信号を処理する回路とは別の構成をとっているため、復調された映像信号と音声信号の出力タイミングがずれてしまうという不具合が生じる。
【０００６】
そこで、ＤＶＤ等に記録されたディジタル映像音声信号を再生する際に、映像信号と音声信号の出力タイミングがずれてしまうのを防止する技術が提案されている（例えば、特許文献１，２）。上記先願に記載されているように、従来は、ＤＶＤ等に記録されたディジタル映像音声信号を再生する際に、映像信号の出力タイミングを基準として音声信号の出力を遅延させることで、映像と音声の出力タイミングがずれないようにしていた。
【特許文献１】特開２００５−１８４５６３号公報
【特許文献２】特開２００４−０８８４４２号公報
【発明の開示】
【発明が解決しようとする課題】
【０００７】
ところで、ＤＶＤプレイヤー等のディジタル信号処理装置では、複数の異なる経路で音声が出力される場合もある。例えば、ＤＶＤプレイヤーからテレビジョン受像機にアナログ音声信号を出力するとともに、サラウンド対応のＡＶアンプにディジタル音声信号を出力する場合が考えられる。
【０００８】
この場合、テレビジョン受像機の内蔵スピーカからの音声と、ＡＶアンプに接続された５．１ｃｈのスピーカからの音声とは、入力された音声信号を処理する時間が異なるのでズレが生じてしまうことがある。特に、音楽を主体とするＤＶＤを再生する場合（特に、複数のＡＶアンプを介して多くのスピーカから音声を出力するようにしている場合）、映像と音声のズレは大きな問題にはならないが、スピーカから出力される音声同士にズレがあると大きな違和感が生じる。
【０００９】
本発明は、符号化されたディジタル音声信号を複数の異なる経路（例えば、アナログ出力、光ディジタル出力、ＨＤＭＩ出力等）から出力することにより生じる音声のズレを解消することのできるディジタル音声信号処理装置を提供することを目的とする。
【課題を解決するための手段】
【００１０】
本発明は、上記課題を解決するためになされたものであり、所定形式のディジタル音声入力信号に所定の音声処理を施してディジタル又はアナログの音声信号を複数の出力端子から出力可能なディジタル音声信号処理装置であって、前記複数の出力端子の前段にそれぞれ設けられた遅延手段と、前記それぞれの遅延手段の遅延量を設定する遅延量設定手段と、前記複数の出力端子のうち何れの出力端子から音声信号を出力させるかを選択可能な音声出力選択手段と、を備え、前記遅延量設定手段は、前記音声出力選択手段により複数の出力端子が選択された場合に、１の出力端子に接続された音声出力装置からの音声出力タイミングを基準（遅延量０）にして、他の出力端子の前段に設けられた前記遅延手段の遅延量を設定することを特徴とする。
【００１１】
また、前記音声出力選択手段により何れの出力端子が選択されたかを示す出力端子情報と、そのときの前記遅延量設定手段による遅延量情報と、を関連付けて記録可能な記憶手段を備え、前記遅延量設定手段は、前記記憶手段に記録されている出力端子情報および遅延量情報に基づいて、前記それぞれの遅延手段の遅延量を設定するようにした。
【００１２】
さらに、入力手段を備え、前記音声出力選択手段は、前記入力手段からの入力信号に基づいて、前記複数の出力端子の中から音声信号を出力させる出力端子を選択し、前記遅延量設定手段は、前記入力手段からの入力信号に基づいて、前記他の出力端子の前段に設けられた遅延手段の遅延量を設定するようにした。
【発明の効果】
【００１３】
本発明によれば、複数の出力端子の前段にそれぞれ遅延手段を設け、音声出力選択手段により前記複数の出力端子のうち何れの出力端子から音声信号を出力させるかを選択させ、音声出力選択手段により複数の出力端子が選択された場合に、遅延量設定手段により１の出力端子に接続された音声出力装置からの音声出力タイミングを基準（遅延量０）にして、他の出力端子の前段に設けられた遅延手段の遅延量を設定させるようにしたので、複数の出力端子に接続された音声出力装置（例えば、テレビジョン受像機やサラウンド対応のＡＶアンプ）からの音声出力タイミングを容易に同期させることができ、音声出力同士のズレを解消することができる。
【００１４】
また、音声出力選択手段により何れの出力端子が選択されたかを示す出力端子情報と、そのときの遅延量情報と、を関連付けて記録可能な記憶手段を備え、遅延量設定手段は、記憶手段に記録されている出力端子情報および遅延量情報に基づいて、それぞれの遅延手段の遅延量を設定するようにしたので、音声出力させる出力端子の組合せに応じて自動的に遅延量が設定されることとなる。また、音声出力させない出力端子に対応する遅延手段において、無駄に遅延量の制御処理が行われるのを回避でき、処理能力を向上できる。
【００１５】
また、遅延量設定手段は入力手段からの入力信号に基づいて遅延手段の遅延量を設定するようにしたので、視聴者が複数のＡＶアンプに接続されたスピーカ等から出力される音声を聞き比べて手動で遅延量を設定することができる。したがって、出力端子に接続されているＡＶアンプがディジタル信号処理能力の異なる他のＡＶアンプに変更されても、最適な遅延量を設定することができる。
【発明を実施するための最良の形態】
【００１６】
以下、本発明に係るディジタル音声信号処理装置を適用した実施の形態を図面に基づいて説明する。
図１は、本実施形態に係るディジタルテレビジョン放送信号受信装置（例えば、セットトップボックス）１００の概略構成図である。
【００１７】
このディジタルテレビジョン放送信号受信装置１００は、信号受信部１０と、デマルチプレクサ２０と、映像信号処理部３０と、制御部５０と、音声信号処理部７０と、を備える。
【００１８】
制御部５０は、ＣＰＵと、ＲＡＭと、ＲＯＭと、を含んで構成される。ＲＯＭには、各種制御プログラムが格納されており、ＣＰＵはＲＡＭを作業領域として利用しつつ、ＲＯＭ内の制御プログラムに従って動作し、各ブロックを制御する。
【００１９】
また、制御部５０には、複数の操作キーが設けられた入力手段４０からの操作信号が入力される。また、入力手段４０は、リモコン装置６０からの操作信号（例えば、赤外線信号）を受信可能なリモコン信号受信部を有し（図示略）、リモコン装置６０からの操作信号を制御部５０に入力可能に構成される。
【００２０】
ディジタルテレビジョン放送信号受信装置１００では、アンテナを介して信号受信部１０で受信したディジタルテレビジョン放送信号が、デマルチプレクサ２０でディジタル映像信号とディジタル音声信号に分離され、分離されたディジタル映像信号とディジタル音声信号はそれぞれ映像信号処理部３０と音声信号処理部７０とで所定の形式の信号に変換され、映像出力端子および音声出力端子から出力される。
【００２１】
なお、本実施形態のディジタルテレビジョン放送信号受信装置１００では、ＭＰＥＧ−２（Moving Picture Experts Group−２）で規定されたディジタル映像音声信号を含むＴＳ信号を処理可能となっている。また、音声信号処理部７０では、ディジタル音声信号としてＡＡＣ音声信号とＰＣＭ音声信号とを処理可能としている。
【００２２】
図２は、ディジタルテレビジョン放送信号受信装置１００における信号処理部の主要ブロック図である。本実施形態のディジタルテレビジョン放送信号受信装置１００は、音声出力端子として、１つのアナログ音声出力端子Ｔａ１と、２つのディジタル音声出力端子（光ディジタル、ＨＤＭＩ）Ｔａ２，Ｔａ３を備える。
【００２３】
映像信号処理部３０は、ＭＰＥＧビデオデコーダ３１と、ＮＴＳＣビデオエンコーダ３２と、を有する。ＭＰＥＧビデオデコーダ３１は、デマルチプレクサ２０から入力された符号化されているディジタル映像信号に対して復号化処理を行う。そして、ＮＴＳＣビデオエンコーダ３２は、復号化されたディジタル映像信号をＮＴＳＣ方式の映像信号に変換し、映像出力端子ＴｖからＰＤＰ（Plasma Display Panel）、ＣＲＴ（Cathode Ray Tube）、ＬＣＤ（Liquid Crystal Display）などの映像出力装置に出力する。なお、映像出力装置がディジタル映像信号を処理可能な場合は、ディジタル映像信号を出力するようにできる。
【００２４】
音声信号処理部７０は、オーディオデコーダ７１と、アナログ出力用遅延バッファ７２と、ディジタル／アナログ変換器７３と、第１のセレクタ７４と、ディジタル出力用遅延バッファ７５と、ディジタルインタフェース７６と、第２のセレクタ７７と、ＨＤＭＩ出力用遅延バッファ７８と、ＨＤＭＩインタフェース７９と、を有する。
【００２５】
オーディオデコーダ７１は、デマルチプレクサ２０から入力された符号化されているディジタル音声信号に対して、復号処理やサラウンド処理等の各種ディジタル音声処理を行う。例えば、入力されたディジタル音声信号がＡＡＣによるものである場合にはＡＡＣ音声の復号化処理を行い、ＰＣＭ音声によるものである場合にはＰＣＭ信号の生成処理を行う。なお、オーディオデコーダ７１におけるディジタル音声処理は、ディジタル化された音声信号に対して行われる処理であり、これらの処理に制限されない。
【００２６】
遅延手段としてのアナログ出力用遅延バッファ７２は、オーディオデコーダ７１でディジタル音声処理が施された音声信号を入力され、この入力されたディジタル音声信号を所定の遅延量だけ遅延させて出力する。このときの遅延量、すなわち遅延時間は、遅延量設定手段としての制御部（ＣＰＵ）５０によって設定される。
【００２７】
Ｄ／Ａ変換器（ＤＡＣ）７３は、アナログ出力用遅延バッファ７２で遅延されたディジタル音声信号を入力され、この入力されたディジタル音声信号をアナログ音声信号に変換する。Ｄ／Ａ変換器７３で変換されたアナログ音声信号は、アナログ音声信号出力端子Ｔａ１から音声出力装置としてのテレビジョン受像機に出力される。そして、テレビジョン受像機の内蔵スピーカから音声が出力される。
【００２８】
第１のセレクタ７４は、デマルチプレクサ２０からのＡＡＣ信号とオーディオデコーダ７１からのＰＣＭ信号を入力可能に構成され、デマルチプレクサ７１から入力されるディジタル音声信号の音声モードに応じて何れかのディジタル音声信号を自動で選択して出力する。ここで、入力されるディジタル音声信号の音声モードは、制御部（ＣＰＵ）５０によって判別される。例えば、制御部（ＣＰＵ）５０は、ＴＳ信号から得られた情報に基づいて、デマルチプレクサ２０から入力される音声信号がＡＡＣ方式の音声信号であるかＰＣＭ方式の音声信号であるかを判別できる。
【００２９】
遅延手段としてのディジタル出力用遅延バッファ７５は、セレクタ７４で選択されたディジタル音声信号を入力され、この入力されたディジタル音声信号（ＡＡＣ信号又はＰＣＭ信号）を所定の遅延量だけ遅延させて出力する。このときの遅延量、すなわち遅延時間は、遅延量設定手段としての制御部（ＣＰＵ）５０によって設定される。
【００３０】
ディジタル出力用遅延バッファ７５で遅延されたディジタル音声信号は、ディジタルインタフェース７６を介してディジタル音声信号出力端子（例えば、光ディジタル信号出力端子）Ｔａ２から音声出力装置としてのサラウンド対応のＡＶアンプに出力される。そして、ＡＶアンプでディジタル音声処理を施されて、ＡＶアンプに接続された、例えば、５．１ｃｈのスピーカから音声が出力される。
【００３１】
第２のセレクタ７７は、デマルチプレクサ２０からのＡＡＣ信号とオーディオデコーダ７１からのＰＣＭ信号を入力可能に構成され、デマルチプレクサ７１から入力されるディジタル音声信号の音声モードに応じて何れかのディジタル音声信号を自動で選択して出力する。例えば、デマルチプレクサ７１から入力されるディジタル音声信号がＡＡＣ方式である場合にはＡＡＣ信号を出力し、ＰＣＭ方式である場合にはオーディオデコーダ７１でディジタル音声処理を施されたＰＣＭ信号を出力する。また、セレクタ７７は、例えば制御部（ＣＰＵ）５０によって制御される。
【００３２】
遅延手段としてのＨＤＭＩ（High-Definition Multimedia Interface）出力用遅延バッファ７８は、セレクタ７７で選択されたディジタル音声信号を入力され、この入力されたディジタル音声信号（ＡＡＣ信号又はＰＣＭ信号）を所定の遅延量だけ遅延させて出力する。このときの遅延量、すなわち遅延時間は、遅延制御手段としての制御部（ＣＰＵ）５０によって設定される。
【００３３】
ディジタル出力用遅延バッファ７８で遅延されたディジタル音声信号は、ＨＤＭＩインタフェース７９を介してＨＤＭＩ出力端子Ｔａ３から音声出力装置としてのＨＤＭＩ対応のディジタルテレビジョン受像機に出力される。そして、ディジタルテレビジョン受像機でディジタル音声処理を施されて、内蔵スピーカから音声が出力される。
【００３４】
上述した構成をしたディジタルテレビジョン放送信号受信装置１００において、符号化されたディジタル音声信号は複数の異なる経路で信号処理されることになるので、実際にスピーカから音声出力されるタイミングにズレが生じる。そこで、本実施形態では、遅延量設定手段としての制御部５０が、アナログ出力用遅延バッファ７２、ディジタル出力用遅延バッファ７５，ＨＤＭＩ出力用遅延バッファ７８の遅延量を適切に設定するようにしている。
【００３５】
また、視聴者による入力操作により入力手段４０から入力される信号に基づいて、音声出力選択手段としての制御部５０は、音声信号を出力させる出力端子を選択する。そして、複数の出力端子から音声信号を出力させる場合に、所定の遅延バッファにおいて遅延制御が実行されることとなる。
【００３６】
例えば、アナログ音声信号出力端子Ｔａ１に接続されたテレビジョン受像機の内蔵スピーカから音声が出力されるタイミングをＴ１とし、光ディジタル信号出力端子Ｔａ２に接続されたＡＶアンプのスピーカから音声が出力されるタイミングをＴ２（＜Ｔ１）、ＨＤＭＩ信号出力端子Ｔａ３に接続されたディジタルテレビジョン受像機の内蔵スピーカから音声が出力されるタイミングをＴ３（＜Ｔ２）、とした場合を考える。つまり、同一の音声信号が、ディジタルテレビジョン受像機の内蔵スピーカ、ＡＶアンプのスピーカ、テレビジョン受像機の内蔵スピーカの順に出力される場合である。
【００３７】
このような場合は、図３に示すように、一番遅い出力タイミングを基準にして他の音声信号を遅延させて、出力タイミングを遅らせることで、実際にスピーカから音声出力されるタイミングを同じにすることができる。例えば、視聴者が入力手段４０を操作することにより、それぞれの遅延バッファによる遅延量を設定することができる。このとき、何れの音声信号の出力タイミングを基準にするかも視聴者によって設定される。
【００３８】
図３は、音声信号を出力させる出力端子の組合せとアナログ出力用遅延バッファ７２，ディジタル出力用遅延バッファ７５，ＨＤＭＩ出力用遅延バッファ７８における遅延量１，２，３の関係を示す説明図である。
【００３９】
すなわち、アナログ音声信号出力端子Ｔａ１と光ディジタル信号出力端子Ｔａ２から音声を出力する場合は、アナログ音声信号出力端子Ｔａ１に接続されたテレビジョン受像機のスピーカからの音声出力タイミングＴ１を基準とし（すなわち、アナログ出力用遅延バッファ７２の遅延量１を０とする）、ディジタル出力用遅延バッファ７５の遅延量２をＴ１−Ｔ２として設定すればよい。仮に、視聴者が光ディジタル信号出力端子Ｔａ２に接続されたＡＶアンプのスピーカからの音声出力タイミングＴ２を基準とし、アナログ出力用遅延バッファ１の遅延量１を設定しても、出力される音声のズレが大きくなるので、何れの音声出力タイミングを基準にすべきかは容易に知ることができる。なお、このとき、ＨＤＭＩ信号出力端子Ｔａ３からの音声出力は無効となっているので、ＨＤＭＩ出力用遅延バッファ７８による遅延制御は行われない。
【００４０】
また、アナログ音声信号出力端子Ｔａ１とＨＤＭＩ信号出力端子Ｔａ３から音声を出力する場合は、アナログ音声信号出力端子Ｔａ１に接続されたテレビジョン受像機のスピーカからの音声出力タイミングＴ１を基準とし、ＨＤＭＩ出力用遅延バッファ７８の遅延量３をＴ１−Ｔ３とすればよい。このとき、光ディジタル信号出力端子Ｔａ２からの音声出力は無効となっているので、ディジタル出力用遅延バッファ７５による遅延制御は行われない。
【００４１】
また、光ディジタル信号出力端子Ｔａ２とＨＤＭＩ信号出力端子Ｔａ３から音声を出力する場合は、光ディジタル信号出力端子Ｔａ２に接続されたＡＶアンプのスピーカからの音声出力タイミングＴ２を基準とし、ＨＤＭＩ出力用遅延バッファ７８の遅延量３をＴ２−Ｔ３とすればよい。このとき、アナログ音声信号出力端子Ｔａ１からの音声出力は無効となっているので、アナログ出力用遅延バッファ７２による遅延制御は行われない。
【００４２】
また、アナログ信号出力端子Ｔａ１と光ディジタル信号出力端子Ｔａ２とＨＤＭＩ信号出力端子Ｔａ３から音声を出力する場合は、アナログ音声信号出力端子Ｔａ１に接続されたテレビジョン受像機のスピーカからの音声出力タイミングＴ１を基準とし、ディジタル出力用遅延バッファ７５の遅延量２をＴ１−Ｔ２とし、ＨＤＭＩ出力用遅延バッファ７８の遅延量３をＴ１−Ｔ３とすればよい。
【００４３】
なお、音声出力選択手段により出力端子が１つしか選択されていない場合は、出力音声にズレは生じないので遅延処理は行われない。ただし、出力映像と出力音声とを同期させる場合は、所定の遅延処理を行う必要がある。
【００４４】
上述したように、本実施形態のディジタルテレビジョン放送信号受信装置１００では、複数の音声出力端子Ｔａ１，Ｔａ２，Ｔａ３の前段にそれぞれ遅延バッファ７２，７５，７８を設け、音声出力選択手段により複数の出力端子が選択された場合に、遅延量設定手段により１の出力端子に接続された音声出力装置からの音声出力タイミングを基準（遅延量０）にして、他の出力端子の前段に設けられた遅延手段の遅延量を設定させるようにしているので、複数の出力端子Ｔａ１，Ｔａ２，Ｔａ３に接続された音声出力装置（例えば、テレビジョン受像機の内蔵スピーカやサラウンド対応のＡＶアンプに接続された５．１ｃｈのスピーカ）からの音声出力タイミングを容易に同期することができ、音声出力同士のズレを解消することができる。
【００４５】
また、遅延量設定手段は入力手段からの入力信号に基づいて遅延手段の遅延量を設定するようにしたので、視聴者が複数のＡＶアンプに接続されたスピーカ等から出力される音声を聞き比べて手動で遅延量を設定することができる。したがって、出力端子に接続されているＡＶアンプ等の音声処理装置のディジタル信号処理能力が異なっていても、最適な遅延量を設定することができる。また、出力端子に接続される音声出力装置が変更された場合にも容易に対応できる。
【００４６】
以上、本発明者によってなされた発明を実施形態に基づいて具体的に説明したが、本発明は前記実施形態に限定されるものではなく、その要旨を逸脱しない範囲で変更可能である。
例えば、上記実施形態では、視聴者が入力手段４０を操作することにより各遅延バッファの遅延量を設定するようにしているが、音声出力選択手段により何れの出力端子が選択されたかを示す出力端子情報と、そのときの遅延量情報と、を関連付けて記憶手段に格納できるようにしてもよい（図３参照）。つまり、出力端子に接続された音声出力装置が変更される頻度は極めて低いので、各遅延バッファの遅延量は一度設定しておけばこれを利用することができる。また、視聴者が入力手段４０により各地エンバッファの遅延量を設定した場合は、この状態を上記記憶手段に記録して更新するのが望ましい。
【００４７】
また、上記実施形態では、ディジタル音声信号処理装置としてディジタルテレビジョン放送信号受信装置を例に挙げて説明したが、これに制限されず、ＤＶＤプレイヤー等のＭＰＥＧ−ＴＳを再生する再生装置やコンピュータ機器などであっても良い。
【００４８】
また、ディジタル音声信号処理装置において処理できるディジタル音声信号は、ＡＡＣ音声信号とＰＣＭ音声信号に制限されず、ＡＣ−３や、ＷＡＶ、ＡＩＦＦ、ＭＰ３、ＷＭＡ、ＡＴＲＡＣ３など、他の形式のディジタル音声信号を適用することもできる。
【００４９】
また、上記実施形態において、映像出力と音声出力とを同期させることも従来技術を適用することで容易に実現することができる。
【図面の簡単な説明】
【００５０】
【図１】本実施形態に係るディジタルテレビジョン放送信号受信装置１００の概略構成図である。
【図２】ディジタルテレビジョン放送信号受信装置１００における信号処理部の主要ブロック図である。
【図３】音声信号を出力させる出力端子の組合せと遅延バッファにおける遅延量の関係を示す説明図である。
【符号の説明】
【００５１】
２０  デマルチプレクサ
３０  映像信号処理部
７０  音声信号処理部
７１  オーディオデコーダ
７２  アナログ出力用遅延バッファ
７３  デジタル／アナログ変換器
７４  第１のセレクタ
７５  ディジタル出力用遅延バッファ
７６  ディジタルインタフェース
７７  第２のセレクタ
７８  ＨＤＭＩ出力用遅延バッファ
７９  ＨＤＭＩインタフェース
Ｔａ１  アナログ音声信号出力端子
Ｔａ２  光ディジタル信号出力端子
Ｔａ３  ＨＤＭＩ信号出力端子
【図１】
2007318604.tif 000003
【図２】
2007318604.tif 000004
【図３】
2007318604.tif 000005